(57)【特許請求の範囲】
【請求項１】
航空機に搭乗する際に用いられ、該搭乗に必要となる情報が、該情報が書き換え可能な領域に印刷された搭乗券の書き換え方法であって、
前記情報を搭乗手続の段階に応じて書き換え、
前記搭乗券を使用後、該搭乗券に印刷された情報を消去し、該情報が消去された搭乗券に前記搭乗に必要となる情報を印刷することを特徴とする搭乗券の書き換え方法。
【請求項２】
航空機に搭乗する際に用いられ、該搭乗に必要となる情報が、該情報が書き換え可能な領域に印刷された搭乗券の書き換え方法であって、
前記情報を搭乗者に関する情報に基づいて書き換え、
前記搭乗券を使用後、該搭乗券に印刷された情報を消去し、該情報が消去された搭乗券に前記搭乗に必要となる情報を印刷することを特徴とする搭乗券の書き換え方法。
【請求項３】
請求項１または請求項２に記載の搭乗券の書き換え方法において、
前記書き換え可能な領域に印刷された情報は、所定の温度の熱を加えることにより消去されることを特徴とする搭乗券の書き換え方法。
【請求項４】
請求項１乃至３のいずれか１項に記載の搭乗券の書き換え方法において、
前記情報が感熱方式にて印刷されていることを特徴とする搭乗券の書き換え方法。
【請求項５】
請求項１乃至４のいずれか１項に記載の搭乗券の書き換え方法において、
前記搭乗券が、前記情報を磁気にて記録及び消去可能な磁気カードであることを特徴とする搭乗券の書き換え方法。
【請求項６】
交通手段に乗車する際に用いられ、該乗車に必要となる情報が、該情報が書き換え可能な領域に印刷された乗車券の書き換え方法であって、
乗車手続前と乗車手続後とで、異なる情報を前記乗車券に印刷し、
前記乗車券を使用後、該乗車券に印刷された情報を消去し、該情報が消去された乗車券に前記乗車に必要となる情報を印刷することを特徴とする乗車券の書き換え方法。
【請求項７】
交通手段に乗車する際に用いられ、該乗車に必要となる情報が、該情報が書き換え可能な領域に印刷された乗車券の書き換え方法であって、
前記情報を乗車する者に関する情報に基づいて書き換え、
前記乗車券を使用後、該乗車券に印刷された情報を消去し、該情報が消去された乗車券に前記乗車に必要となる情報を印刷することを特徴とする乗車券の書き換え方法。
【請求項８】
請求項６または請求項７に記載の乗車券の書き換え方法において、
前記書き換え可能な領域に印刷された情報は、所定の温度の熱を加えることにより消去されることを特徴とする乗車券の書き換え方法。
【請求項９】
請求項６乃至８のいずれか１項に記載の乗車券の書き換え方法において、
前記情報が感熱方式にて印刷されていることを特徴とする乗車券の書き換え方法。
【請求項１０】
請求項６乃至９のいずれか１項に記載の乗車券の書き換え方法において、
前記乗車券が、前記情報を磁気にて記録及び消去可能な磁気カードであることを特徴とする乗車券の書き換え方法。
【発明の詳細な説明】
【０００１】
【発明の属する技術分野】
本発明は、航空機に搭乗する際に必要となる搭乗券の書き換え方法、並びに電車等の乗り物に乗車する際に必要となる乗車券の書き換え方法に関する。
【０００２】
【従来の技術】
通常、航空機に搭乗する場合は、搭乗券を購入し、該搭乗券を用いて搭乗手続を行った後、航空機に搭乗する。
【０００３】
従来、航空機に搭乗する際に必要となる搭乗券においては、裏面に磁気ストライプが貼り付けられた裏面磁気ストライプ方式のものや、感熱紙に情報及び該情報を管理するためのバーコードが印字された感熱ロール紙バーコード方式のものや、搭乗券の半分のスペースのみに情報が印字され、搭乗手続の際に半分にもぎることができるようにミシン目がつけられた半券もぎり方式のもの等がある。
【０００４】
裏面磁気ストライプ方式のものにおいては、表面には、便名や出発日時、出発地及び行き先、並びに搭乗者名等が熱転写リボンを用いて印字されており、裏面には、広告情報が印刷されるとともに、表面に印字された情報が書き込まれた磁気ストライプが貼り付けられている。この搭乗券を用いて搭乗手続を行うと、搭乗口や座席番号等がさらに印字されることになる。
【０００５】
また、感熱ロール紙バーコード方式のものにおいては、便名や出発日時、出発地及び行き先、並びに搭乗者名、搭乗ゲートや座席番号が印字されており、さらに、これらの情報を管理するためのバーコードが印刷されている。
【０００６】
また、半券もぎり方式のものにおいては、半分でもぎることができるようにミシン目がつけられており、ミシン目で区切られた半分のスペースに、便名や出発日時、行き先等が印字されており、その裏面には広告情報が印刷されている。この搭乗券を用いて搭乗手続を行うと、ミシン目にそって搭乗券が半分にもぎられるとともに、搭乗口がラバースタンプによって押印され、また、座席番号が印字されたタックシールが貼り付けられる。
【０００７】
また、電車等の交通手段に乗車する場合においても、航空機に搭乗する場合と同様に、乗車券を購入し、該乗車券を用いて乗車手続を行った後、乗り物に乗車する。
【０００８】
【発明が解決しようとする課題】
しかしながら、上述したような従来のものにおいては、以下に記載するような問題点がある。
【０００９】
（１）裏面磁気ストライプ方式のものについて
搭乗券の裏面に情報を書き込むための磁気テープが貼り付けられているが、磁気テープはコストが高いため、搭乗券の製造コストが高くなってしまう。
【００１０】
また、磁気テープに情報を書き込み、さらに書き込んだ情報を読み出す必要があるため、そのための機器が必要となるが、磁気テープに情報を書き込んだり、磁気テープに書き込まれた情報を読み出したりする機器はコストが高いものであり、システム全体としてもコストが高いものとなってしまう。
【００１１】
また、表面に情報を印字する際に熱転写リボンを用いて行っているため、熱転写リボンに必要となるコストがかかってしまう。
【００１２】
また、裏面に印刷される広告情報が製造ロット毎に同一のものであるため、行き先や搭乗者の嗜好に合った広告情報を印刷することができない。
【００１３】
（２）感熱ロール紙バーコード方式のものについて
感熱ロール紙に情報を印字するものであるため、広告情報を印刷するためのスペースが少ない。
【００１４】
（３）半券もぎり方式のものについて
搭乗手続を行う際に、ミシン目にそって搭乗券を半分にもぎるとともに、搭乗口をラバースタンプによって押印し、また、座席番号が印字されたタックシールを貼り付ける作業が必要となるため、手作業が多く、搭乗手続にて手間と時間がかかってしまう。
【００１５】
また、座席番号が印字されたタックシールによって搭乗者を管理しているため、未搭乗者をリアルタイムに把握することができない。
【００１６】
また、裏面に印刷される広告情報が製造ロット毎に同一のものであるため、行き先や搭乗者の嗜好に合った広告情報を印刷することができない。
【００１７】
また、近年においては、あらゆる分野でリサイクル活動が盛んであるが、上述したような、裏面磁気ストライプ方式、感熱ロール紙バーコード方式、半券もぎり方式のいずれの搭乗券においてもリサイクルすることができないという問題点がある。
【００１８】
本発明は、上述したような従来の技術が有する問題点に鑑みてなされたものであって、コストダウンを図ることができるとともにリサイクル可能な、搭乗券の書き換え方法、並びに乗車券の書き換え方法を提供することを目的とする。
【００１９】
【課題を解決するための手段】
上記目的を達成するために本発明は、
航空機に搭乗する際に用いられ、該搭乗に必要となる情報が、該情報が書き換え可能な領域に印刷された搭乗券の書き換え方法であって、
前記情報を搭乗手続の段階に応じて書き換え、
前記搭乗券を使用後、該搭乗券に印刷された情報を消去し、該情報が消去された搭乗券に前記搭乗に必要となる情報を印刷することを特徴とする。
【００２０】
また、前記書き換え可能な領域に印刷された情報は、所定の温度の熱を加えることにより消去されることを特徴とする。
【００２１】
また、前記情報が感熱方式にて印刷されていることを特徴とする。
【００２２】
また、前記情報を磁気にて記録及び消去可能な磁気カードであることを特徴とする。
【００２４】
また、前記搭乗券の書き換え方法であって、
前記情報を搭乗者に関する情報に基づいて書き換えることを特徴とする。
【００２６】
また、交通手段に乗車する際に用いられ、該乗車に必要となる情報が、該情報が書き換え可能な領域に印刷された乗車券の書き換え方法であって、
乗車手続前と乗車手続後とで、異なる情報を前記乗車券に印刷し、
前記乗車券を使用後、該乗車券に印刷された情報を消去し、該情報が消去された乗車券に前記乗車に必要となる情報を印刷することを特徴とする。
【００２７】
また、前記書き換え可能な領域に印刷された情報は、所定の温度の熱を加えることにより消去されることを特徴とする。
【００２８】
また、前記情報が感熱方式にて印刷されていることを特徴とする。
【００２９】
また、前記情報を磁気にて記録及び消去可能な磁気カードであることを特徴とする。
【００３１】
また、前記乗車券の書き換え方法であって、
前記情報を乗車する者に関する情報に基づいて書き換えることを特徴とする。
【００３３】
（作用）
上記のように構成された本発明においては、所定の温度の熱を加えることにより印刷された情報を消去可能な領域が設けられており、それにより、印刷された情報を必要に応じて書き換えることができる。航空機に搭乗する際に必要となる搭乗券においては、搭乗手続の段階に応じた情報が印刷されるように情報の書き換えを行えば、搭乗者が次に行うべき手続きを容易に認識することができる。また、行き先や搭乗者の年齢に基づく広告情報を印刷するようにすれば、搭乗者に合った広告情報が搭乗者に提供されることになる。また、搭乗券を使用後、該搭乗券に印刷された情報を消去し、その後、情報が消去された搭乗券に、搭乗に必要となる情報を印刷すれば、搭乗券を再利用することができる。
【００３４】
【発明の実施の形態】
以下に、本発明の実施の形態について図面を参照して説明する。
【００３５】
図１は、本発明の搭乗券の実施の一形態を示す図である。
【００３６】
本形態は図１に示すように、印刷内容を書き換えることが不可能な書き換え不可能エリア１０と、搭乗券に所定の温度の熱を加えることにより印刷された内容を消去することができ、それにより、印刷内容を書き換えることが可能な書き換え可能エリア２０とが設けられ、書き換え可能エリア２０に印刷された情報が磁気にて記録された磁気カードである。
【００３７】
書き換え不可能エリア１０には、「搭乗券」等といった書き換え不要な情報が印刷されている。また、書き換え可能エリア２０には、搭乗日、便名、行き先、出発時間、並びに搭乗者の名前及び年齢等が印刷されており、これらの情報は磁気によっても搭乗券に記録されている。さらに、搭乗手続には直接関係のない広告情報も書き換え可能エリア２０に印刷されている。
【００３８】
以下に、上記のように構成された搭乗券の書き換え方法について説明する。
【００３９】
図２は、図１に示した搭乗券の印刷内容を書き換えるためのシステムの一例を示す図である。
【００４０】
本形態におけるシステムは図２に示すように、磁気カードに所定の情報を印刷・記録することにより搭乗券を発券する発券機１と、搭乗手続カウンターに設けられ、発券機１にて発券された搭乗券が挿入されることにより搭乗手続を行うとともに、該搭乗券に印刷された情報の一部を書き換えるカウンター機２と、搭乗口に設けられ、搭乗券が挿入されることにより搭乗者が搭乗口を通過したことを認識するとともに、該搭乗券に印刷された情報の一部を書き換えるゲート機３と、使用済の搭乗券に印刷された情報のうち、書き換え可能エリア２０に印刷された情報を消去するとともに磁気によって記録された情報を消去する消去機４とから構成されており、消去機４にて書き換え可能エリア２０に印刷された情報及び磁気によって記録された情報が消去された搭乗券に発券機１にて新たな情報が印刷され、搭乗券が発券される。
【００４１】
（第１の実施の形態）
図３は、図１に示した搭乗券の書き換え方法を説明するための図であり、（ａ）は発券時の搭乗券の印刷内容を示す図、（ｂ）は搭乗手続後の搭乗券の印刷内容を示す図、（ｃ）は搭乗口を通過した後の搭乗券の印刷内容を示す図である。
【００４２】
発券機１（図２参照）にて発券された搭乗券においては、図３（ａ）に示すように、書き換え可能エリア２０には、搭乗日、便名、行き先、出発時間、並びに搭乗者の名前及び年齢が印刷されるとともに、「ご利用ありがとうございます」や「チェックインはお早めに」等といった搭乗手続前の搭乗者に対するメッセージや、出発地にて購入可能な商品や出発地における名物等の広告情報が印刷されている。なお、これら搭乗券への情報の印刷は、感熱方式を用いて行われる。また、搭乗日、便名、行き先、出発時間、並びに搭乗者の名前及び年齢の情報は、磁気によっても搭乗券に記録されている。
【００４３】
この搭乗券を用いて搭乗者が搭乗手続をするために、搭乗手続カウンターに設けられたカウンター機（図２参照）に搭乗券を挿入すると、磁気によって搭乗券に記録された情報が読み出され、該情報を用いて搭乗手続が行われ、座席番号及び搭乗口が印刷されるとともに、搭乗者に対するメッセージが書き換えられ、図２（ｂ）に示すように、「チェックインありがとうございます」等といった、搭乗手続が済んだ旨を示すメッセージが印刷される。
【００４４】
その後、搭乗者が、搭乗券に印刷された搭乗口に行き、搭乗口に設けられたゲート機（図２参照）に搭乗券を挿入すると、磁気によって搭乗券に記録された情報が読み出され、該情報を用いて搭乗予定者が搭乗したことが認識されるとともに、搭乗者に対するメッセージが書き換えられ、図２（ｃ）に示すように、「搭乗券の回収にご協力願います」等といった、航空機に搭乗後における搭乗者へのメッセージが印刷される。また、搭乗券に印刷されている広告情報が、行き先にて購入可能な商品や行き先における名物等に関する広告情報に書き換えられる。
【００４５】
搭乗者が、搭乗券に印刷された便に搭乗した後、該搭乗券は不要となる。そこで、この搭乗券を回収し、消去機４（図２参照）において、搭乗券の書き込み可能エリア２０に印刷された情報及び磁気によって搭乗券に記録された情報が消去され、発券機１において、消去機４にて情報が消去された搭乗券に新たな情報が印刷され、搭乗券が再利用されることになる。
【００４６】
なお、搭乗券の回収は、航空機内にて座席前に専用のボックスを設けて該ボックス内に搭乗者が自ら搭乗券を入れることや、行き先に到着し、搭乗者が航空機を降りた後に回収すること等が考えられる。
【００４７】
上述したように本形態においては、搭乗券に印刷される情報が、搭乗券が発券されてから搭乗者が航空機に搭乗するまでのそれぞれの手続きの段階に応じて書き換えられることにより、搭乗者は、次に行うべき手続きを容易に認識することができる。また、広告情報においても、搭乗者が搭乗口を通過する前には出発地における土産等に関する情報を記載し、搭乗者が搭乗口を通過した後には行き先における土産等に関する情報を記載することにより、搭乗者にとって有効な広告情報を記載することができる。
【００４８】
また、広告情報を製造ロット毎に同一のものにする必要がないため、搭乗者の年齢や行き先に応じた広告情報を記載することもできる。
【００４９】
また、搭乗券に印刷された情報及び磁気によって記録された情報が書き換え可能であるため、上述したように、搭乗券を使用後、搭乗券に印刷された情報及び磁気によって記録された情報を全て消去すれば、該搭乗券を再利用することができる。
【００５０】
また、本形態における搭乗券を航空会社の持ち株会会員証と同一の仕様とすれば、会員証で搭乗券を兼ねることもできる。
【００５１】
（第２の実施の形態）
第２の実施の形態として、搭乗者が搭乗する便を変更する場合の搭乗券の書き換え方法について説明する。
【００５２】
図４は、図１に示した搭乗券の書き換え方法を説明するための図であり、（ａ）は便を変更する前の搭乗券の印刷内容を示す図、（ｂ）は便を変更した後の搭乗券の印刷内容を示す図である。
【００５３】
発券機１（図２参照）にて発券された搭乗券においては、図４（ａ）に示すように、書き換え可能エリア２０には、搭乗日、便名、行き先、出発時間、並びに搭乗者の名前及び年齢が印刷されるとともに、「ご利用ありがとうございます」等といった搭乗手続前の搭乗者に対するメッセージや、出発地にて購入可能な商品や出発地における名物等の広告情報が印刷されている。また、搭乗日、便名、行き先、出発時間、並びに搭乗者の名前及び年齢の情報は、磁気によっても搭乗券に記録されている。
【００５４】
その後、搭乗者が、搭乗する便を変更する場合、搭乗カウンターに設けられたカウンター機２（図２参照）に搭乗券を挿入し、便の変更を行うと、磁気によって搭乗券に記録された情報が読み出され、該情報に基づく搭乗がキャンセルされるとともに、該情報及び搭乗券に印刷された情報のうち変更対象となる項目の情報が消去され、変更後の情報が印刷・記録される。便名及び出発時間が書き換えられた搭乗券は、搭乗者に渡される。
【００５５】
その後の手続き及び搭乗券の書き換え処理については、第１の実施の形態にて説明したものと同様である。
【００５６】
なお、上述した実施の形態においては、航空機に搭乗する際に必要となる搭乗券及び該搭乗券の書き換え方法について説明したが、本発明は、電車等の交通手段に乗車する際に必要となる乗車券においても、同様に内容を書き換えることができるものとして適用可能である。
【００５７】
【発明の効果】
以上説明したように上記のように本発明においては、所定の温度の熱を加えることにより印刷された情報を消去可能な領域が設けられており、それにより、印刷された情報を必要に応じて書き換えることができため、航空機に搭乗する際に必要となる搭乗券においては、搭乗手続の段階に応じた情報が印刷されるように情報の書き換えを行えば、搭乗者が次に行うべき手続きを容易に認識することができる。
【００５８】
また、行き先や搭乗者の年齢に基づく広告情報を印刷するようにすれば、搭乗者に合った広告情報を搭乗者に提供することができる。
【００５９】
また、搭乗券を使用後、該搭乗券に印刷された情報を消去し、その後、情報が消去された搭乗券に、搭乗に必要となる情報を印刷すれば、搭乗券を再利用することができる。
【００６０】
また、再利用可能であるとともに感熱方式によって情報を印刷しているため、コストダウンを図ることができる。
【図面の簡単な説明】
【図１】本発明の搭乗券の実施の一形態を示す図である。
【図２】図１に示した搭乗券の印刷内容を書き換えるためのシステムの一例を示す図である。
【図３】図１に示した搭乗券の書き換え方法を説明するための図であり、（ａ）は発券時の搭乗券の印刷内容を示す図、（ｂ）は搭乗手続後の搭乗券の印刷内容を示す図、（ｃ）は搭乗口を通過した後の搭乗券の印刷内容を示す図である。
【図４】図１に示した搭乗券の書き換え方法を説明するための図であり、（ａ）は便を変更する前の搭乗券の印刷内容を示す図、（ｂ）は便を変更した後の搭乗券の印刷内容を示す図である。
【符号の説明】
１    発券機
２    カウンター機
３    ゲート機
４    消去機
１０    書き換え不可能エリア
２０    書き換え可能エリア
【図１】
0004565587.tif 000002
【図２】
0004565587.tif 000003
【図３】
0004565587.tif 000004
【図４】
0004565587.tif 000005